(57)【要約】アクセスポイントと通信するときに競合する識別子を使用してモバイルデバイスの選択的解放を容易にするシステムおよび方法が、説明される。アクセスポイントは、競合する識別子を検出し、そして選択的解放メッセージをモバイルデバイスへと送信することができる。選択的解放メッセージは、あいまい性解消識別子を含むことができ、それで適切なモバイルデバイスは、それがアクセスポイントに対して間違って接続されることを識別することができ、そしてその接続を解放することができる。あいまい性解消識別子は、識別子、以前のメッセージに関連した態様、セキュリティまたはコンテキストのチェックが復号されることができるかどうかなど、正しく、または間違って接続されたモバイルデバイスの１つまたは複数の固有の態様とすることができる。したがって、間違って接続されたモバイルデバイスの接続は、正しく接続されたモバイルデバイスを追加して解放することなく、解放されることができる。
2011523299.tif 000002
【特許請求の範囲】
【請求項１】
ワイヤレス通信において選択的解放を実行するための方法であって、
間違って接続されたモバイルデバイスのあいまい性を解消するアクセスポイントからの選択的解放通知を受信することと、
前記選択的解放通知に少なくとも部分的に基づいて前記アクセスポイントに対する接続が間違っているかどうかを決定することと、
前記アクセスポイントに対する接続が間違っているかどうかを決定することに少なくとも部分的に基づいて前記アクセスポイントに対する接続を解放することと、
を備える方法。
【請求項２】
前記選択的解放通知は、前記アクセスポイントに正しく、または間違って接続されるモバイルデバイスに関連したあいまい性解消識別子を備える、
請求項１に記載の方法。
【請求項３】
前記アクセスポイントに対する接続が間違っているかどうかを決定することは、さらに、前記アクセスポイントに対して送信される以前のメッセージの１つまたは複数の態様と前記あいまい性解消識別子を比較することに少なくとも部分的に基づいている、
請求項２に記載の方法。
【請求項４】
前記以前のメッセージの前記１つまたは複数の態様は、前記以前のメッセージのシグネチャまたはチェックサムである、
請求項３に記載の方法。
【請求項５】
前記選択的解放通知は、既存の接続解放メッセージであり、そして選択的解放を指定するインジケータ、をさらに含む、
請求項２に記載の方法。
【請求項６】
前記選択的解放通知は、セキュリティまたはコンテキストのチェックメッセージであり、前記アクセスポイントに対する接続が間違っているかどうかを決定することは、前記セキュリティまたはコンテキストのチェックメッセージの成功した、または失敗した復号化に少なくとも部分的に基づいている、
請求項１に記載の方法。
【請求項７】
アクセスポイントからの選択的解放通知を得るように、
前記選択的解放通知がワイヤレス通信装置に当てはまるかどうかを検出するように、そして
前記選択的解放通知が当てはまるかどうかを検出することに少なくとも部分的に基づいて前記アクセスポイントからの接続を解放するように、
構成された少なくとも１つのプロセッサと、
前記少なくとも１つのプロセッサに結合されたメモリと、
を備えるワイヤレス通信装置。
【請求項８】
前記少なくとも１つのプロセッサは、さらに、前記選択的解放メッセージの中のあいまい性解消識別子を検出するように構成されている、
請求項７に記載のワイヤレス通信装置。
【請求項９】
前記少なくとも１つのプロセッサは、前記アクセスポイントに対して送信される以前のメッセージの一態様と前記あいまい性解消識別子を比較することに少なくとも部分的に基づいて前記選択的解放通知が当てはまるかどうかを検出する、
請求項８に記載のワイヤレス通信装置。
【請求項１０】
前記態様は、前記メッセージのシグネチャまたはチェックサムである、
請求項９に記載のワイヤレス通信装置。
【請求項１１】
前記選択的解放メッセージは、一般的な接続開放メッセージであり、前記少なくとも１つのプロセッサは、さらに、前記メッセージの中の識別子に少なくとも部分的に基づいて前記一般的な接続解放メッセージが選択的であることを決定するように構成されている、
請求項８に記載のワイヤレス通信装置。
【請求項１２】
前記選択的解放通知は、セキュリティまたはコンテキストのチェックメッセージであり、前記少なくとも１つのプロセッサは、前記セキュリティまたはコンテキストのチェックメッセージの成功している、または失敗している復号化に少なくとも部分的に基づいて前記選択的解放通知が当てはまるかどうかを検出する、
請求項７に記載のワイヤレス通信装置。
【請求項１３】
ワイヤレスネットワークの中で通信を開放することを容易にする装置であって、
アクセスポイントから選択的解放メッセージを受信するための手段と、
前記選択的解放メッセージに少なくとも部分的に基づいて前記アクセスポイントに対する接続が間違っているかどうかを決定するための手段と、
前記アクセスポイントに対する接続が間違っているかどうかに応じて前記アクセスポイントからの接続を解放するための手段と、
を備える装置。
【請求項１４】
前記選択的解放メッセージは、あいまい性解消識別子を備え、そして決定するための前記手段は、前記あいまい性解消識別子に少なくとも部分的に基づいて前記アクセスポイントに対する接続が間違っているかどうかを決定する、
請求項１３に記載の装置。
【請求項１５】
決定するための前記手段は、前記アクセスポイントに対して送信される以前のメッセージの１つまたは複数の態様と前記あいまい性解消識別子を比較することに少なくとも部分的に基づいて前記アクセスポイントに対する接続が間違っているかどうかを決定する、
請求項１４に記載の装置。
【請求項１６】
前記以前のメッセージの前記１つまたは複数の態様は、前記メッセージのシグネチャまたはチェックサムを含む、
請求項１５に記載の装置。
【請求項１７】
前記選択的解放メッセージは、一般的な接続解放メッセージであり、そして前記選択的解放メッセージを受信するための前記手段は、さらに、前記一般的な接続解放メッセージの中の識別子に少なくとも部分的に基づいて前記メッセージが選択的であることを決定する、
請求項１４に記載の装置。
【請求項１８】
前記選択的解放メッセージは、セキュリティまたはコンテキストのチェックメッセージであり、決定するための前記手段は、前記セキュリティまたはコンテキストのチェックメッセージの復号化が成功しているか、または失敗しているかに少なくとも部分的に基づいて前記アクセスポイントに対する接続が間違っているかどうかを決定する、
請求項１３に記載の装置。
【請求項１９】
少なくとも１台のコンピュータに、間違って選択されたモバイルデバイスのあいまい性を解消するアクセスポイントからの選択的解放通知を受信するようにさせるためのコードと、
前記少なくとも１台のコンピュータに、前記選択的解放通知に少なくとも部分的に基づいて前記アクセスポイントに対する接続が間違っているかどうか決定するようにさせるためのコードと、
前記少なくとも１台のコンピュータに、前記アクセスポイントに対する接続が間違っているかどうかを決定することに少なくとも部分的に基づいて前記アクセスポイントに対する接続を解放するようにさせるためのコードと、
を備えるコンピュータ可読媒体、
を備えるコンピュータプログラム製品。
【請求項２０】
前記選択的解放通知は、前記アクセスポイントに正しく、または間違って接続されるモバイルデバイスに関連したあいまい性解消識別子を備える、
請求項１９に記載のコンピュータプログラム製品。
【請求項２１】
前記アクセスポイントに対する接続が間違っているかどうかを決定することは、さらに、前記アクセスポイントに対して送信される以前のメッセージの１つまたは複数の態様と前記あいまい性解消識別子を比較することに少なくとも部分的に基づいている、
請求項２０に記載のコンピュータプログラム製品。
【請求項２２】
前記以前のメッセージの前記１つまたは複数の態様は、前記以前のメッセージのシグネチャまたはチェックサムである、
請求項２１に記載のコンピュータプログラム製品。
【請求項２３】
前記選択的解放通知は、既存の接続解放メッセージであり、そして選択的解放を指定するインジケータをさらに含む、
請求項２０に記載のコンピュータプログラム製品。
【請求項２４】
前記選択的解放通知は、セキュリティまたはコンテキストのチェックメッセージであり、そして前記アクセスポイントに対する接続が間違っているかどうかを決定することは、前記セキュリティまたはコンテキストのチェックメッセージの成功している、または失敗している復号化に少なくとも部分的に基づいている、
請求項１９に記載のコンピュータプログラム製品。
【請求項２５】
アクセスポイントから選択的解放メッセージを受信する選択的解放メッセージコンポーネントと、
前記選択的解放メッセージに少なくとも部分的に基づいて前記アクセスポイントに対する接続が間違っているかどうかを見分けるあいまい性解消識別子コンポーネントと、
前記アクセスポイントに対する接続が間違っているかどうかに応じて前記アクセスポイントからの接続を解放する解放コンポーネントと、
を備える装置。
【請求項２６】
前記選択的解放メッセージは、あいまい性解消識別子を備え、そして前記あいまい性解消識別子コンポーネントは、前記あいまい性解消識別子に少なくとも部分的に基づいて前記アクセスポイントに対する接続が間違っているかどうかを決定する、
請求項２５に記載の装置。
【請求項２７】
前記あいまい性解消識別子コンポーネントは、前記アクセスポイントに対して送信される以前のメッセージの１つまたは複数の態様と前記あいまい性解消識別子を比較することに少なくとも部分的に基づいて前記アクセスポイントに対する接続が間違っているかどうかを決定する、
請求項２６に記載の装置。
【請求項２８】
前記以前のメッセージの前記１つまたは複数の態様は、前記メッセージのシグネチャまたはチェックサムを含む、
請求項２７に記載の装置。
【請求項２９】
前記選択的解放メッセージは、一般的な接続解放メッセージであり、前記選択的解放メッセージコンポーネントは、さらに、前記一般的な接続解放メッセージの中の識別子に少なくとも部分的に基づいて前記メッセージが選択的であることを決定する、
請求項２６に記載の装置。
【請求項３０】
前記選択的解放メッセージは、セキュリティまたはコンテキストのチェックメッセージであり、前記あいまい性解消識別子コンポーネントは、前記セキュリティまたはコンテキストのチェックメッセージの復号化が成功しているか、または失敗しているかに少なくとも部分的に基づいて前記アクセスポイントに対する接続が間違っているかどうかを決定する、
請求項２５に記載の装置。
【請求項３１】
競合する識別子を用いてモバイルデバイスを選択的に解放するための方法であって、
モバイルデバイスから識別子を備えるアクセス要求を受信することと、
前記識別子が、接続されたモバイルデバイスに以前に割り付けられた割り当てられた識別子と競合することを決定することと、
前記識別子と前記割り当てられた識別子との間の前記競合に少なくとも部分的に基づいて前記モバイルデバイスと、接続されたモバイルデバイスとに対して選択的解放メッセージを送信することと、
を備える方法。
【請求項３２】
前記識別子が、前記割り当てられた識別子と競合することを決定することは、異なるメッセージが前記接続されたモバイルデバイスから予想される場合に前記モバイルデバイスから前記アクセス要求を検出すること、を含む、
請求項３１に記載の方法。
【請求項３３】
前記選択的解放メッセージは、一般的な接続解放メッセージである、
請求項３１に記載の方法。
【請求項３４】
前記モバイルデバイスのあいまい性解消識別子を生成することと、前記選択的解放メッセージの中に前記あいまい性解消識別子を含めることと、をさらに備える、
請求項３３に記載の方法。
【請求項３５】
前記あいまい性解消識別子は、前記アクセス要求または前記接続されたモバイルデバイスから受信される以前のメッセージ、についての１つまたは複数のパラメータに関連している、
請求項３４に記載の方法。
【請求項３６】
前記モバイルデバイスまたは前記接続されたモバイルデバイスから受信される追加のメッセージに対応する異種のあいまい性解消識別子との、前記あいまい性解消識別子の衝突を回避する前記あいまい性解消識別子を生成するために、前記モバイルデバイスまたは前記接続されたモバイルデバイスから受信される以前のメッセージを選択すること、をさらに備える、
請求項３４に記載の方法。
【請求項３７】
前記選択的解放メッセージの中に前記一般的な接続解放メッセージが選択的解放のためであるという表示を含めること、をさらに備える、
請求項３４に記載の方法。
【請求項３８】
セキュリティまたはコンテキストのチェックメッセージを生成すること、をさらに備え、前記選択的解放メッセージは、前記セキュリティまたはコンテキストのチェックメッセージである、
請求項３１に記載の方法。
【請求項３９】
モバイルデバイスから識別子を備えるアクセス要求を得るように、
前記識別子と、接続されたモバイルデバイスに割り付けられる割り当てられた識別子との間の競合を検出するように、そして
前記の競合する識別子と、割り当てられた識別子とに対応する選択的解放メッセージを送信するように、
構成された少なくとも１つのプロセッサと、
前記少なくとも１つのプロセッサに結合されたメモリと、
を備えるワイヤレス通信装置。
【請求項４０】
前記少なくとも１つのプロセッサは、前記アクセス要求が、前記割り当てられた識別子についての予想されないメッセージであることを決定することに少なくとも部分的に基づいて前記競合を検出する、
請求項３９に記載のワイヤレス通信装置。
【請求項４１】
前記選択的解放メッセージは、一般的な接続解放メッセージである、
請求項３９に記載のワイヤレス通信装置。
【請求項４２】
１つまたは複数のモバイルデバイスの選択的解放を要求することを容易にする装置であって、
モバイルデバイスから識別子を備える通信を受信するための手段と、
前記識別子が、接続されたモバイルデバイスに割り当てられる異種の識別子と競合することを決定するための手段と、
前記識別子に少なくとも部分的に基づいて選択的解放メッセージを送信するための手段と、
を備える装置。
【請求項４３】
決定するための前記手段は、前記モバイルデバイスからの前記通信が前記識別子について予想されないことを検出することに少なくとも部分的に基づいて前記識別子競合を決定する、
請求項４２に記載の装置。
【請求項４４】
前記選択的解放メッセージは、一般的な接続解放メッセージである、
請求項４２に記載の装置。
【請求項４５】
あいまい性解消識別子を選択し、前記あいまい性解消識別子を前記選択的解放メッセージの中に挿入するための手段、をさらに備える、
請求項４４に記載の装置。
【請求項４６】
前記あいまい性解消識別子は、前記モバイルデバイスからの前記通信、または前記接続されたモバイルデバイスからの以前のメッセージ、に関連している、
請求項４５に記載の装置。
【請求項４７】
少なくとも１台のコンピュータに、識別子を備えるモバイルデバイスからのアクセス要求を受信するようにさせるためのコードと、
前記少なくとも１台のコンピュータに、前記識別子が、接続されたモバイルデバイスに以前に割り付けられた割り当てられた識別子と競合することを決定するようにさせるためのコードと、
前記少なくとも１台のコンピュータに、前記識別子と前記割り当てられた識別子との間の前記競合に少なくとも部分的に基づいて前記のモバイルデバイスと、接続されたモバイルデバイスとに選択的解放メッセージを送信するようにさせるためのコードと、
を備えるコンピュータ可読媒体、
を備えるコンピュータプログラム製品。
【請求項４８】
前記識別子が、前記割り当てられた識別子と競合することを決定することは、異なるメッセージが、前記接続されたモバイルデバイスから予想される場合に前記モバイルデバイスからの前記アクセス要求を検出することを含む、
請求項４７に記載のコンピュータプログラム製品。
【請求項４９】
モバイルデバイスからの識別子を備える通信を受信するトランシーバコンポーネントと、
前記識別子が、接続されたモバイルデバイスに割り当てられる異種の識別子と競合することを決定する間違い通信検出コンポーネントと、
前記識別子に少なくとも部分的に基づいて選択的解放メッセージを生成する選択的解放メッセージコンポーネントと、
を備え、前記トランシーバコンポーネントは、前記のモバイルデバイスと、接続されたモバイルデバイスとに対して前記選択的解放メッセージを送信する、
装置。
【請求項５０】
前記間違い通信検出コンポーネントは、前記モバイルデバイスからの前記通信が、前記識別子について予想されないことを検出することに少なくとも部分的に基づいて前記識別子競合を決定する、
請求項４９に記載の装置。
【発明の詳細な説明】
【相互参照】
【０００１】
本願は、２００８年６月２日に出願され、そしてその全体がここにおいて参照によって組み込まれている「ワイヤレス通信システムにおけるＲＲＣ接続を管理するための方法および装置(A METHOD AND APPARATUS FOR MANAGING RRC CONNECTION IN WIRELESS COMMUNICATION SYSTEM)」という名称の米国仮出願第６１／０５７，９１９号の利益を主張するものである。
【技術分野】
【０００２】
本開示は、一般にワイヤレス通信に関し、そしてより詳細には無線リソース制御（ＲＲＣ）接続を管理することに関する。
【背景技術】
【０００３】
ワイヤレス通信システムは、例えば、音声、データなど、様々なタイプの通信コンテンツを提供するために広く展開される。典型的なワイヤレス通信システムは、使用可能なシステムリソース（例えば、帯域幅、送信パワー、．．．）を共用することにより、複数のユーザとの通信をサポートすることができる多元接続システムとすることができる。そのような多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムなどとを含む。さらに、それらのシステムは、第３世代パートナーシッププロジェクト（３ＧＰＰ）、３ＧＰＰ長期発展(long term evolution)（ＬＴＥ）、ウルトラモバイルブロードバンド(ultra mobile broadband)（ＵＭＢ）などの仕様に準拠したものとすることができる。
【０００４】
一般に、ワイヤレス多元接続通信システムは、複数のモバイルデバイスについての通信を同時にサポートすることができる。各モバイルデバイスは、順方向リンクおよび逆方向リンクの上の送信を経由して１つまたは複数のアクセスポイント（例えば、基地局、フェムトセル、ピコセル、中継ノード、および／または同様のもの）と通信することができる。順方向リンク（またはダウンリンク）は、アクセスポイントからモバイルデバイスへの通信リンクを意味し、そして逆方向リンク（またはアップリンク）は、モバイルデバイスからアクセスポイントへの通信リンクを意味する。さらにモバイルデバイスとアクセスポイントとの間の通信は、単一入力単一出力（ＳＩＳＯ）システム、多入力単一出力（ＭＩＳＯ）システム、多入力多出力（ＭＩＭＯ）システムなどを経由して確立されることができる。さらに、モバイルデバイスは、他のモバイルデバイスと（および／またはアクセスポイントは、他のアクセスポイントと）、ピアツーピアワイヤレスネットワークコンフィギュレーションの中で、通信することができる。
【０００５】
さらに、モバイルデバイスは、無線リソース制御（ＲＲＣ）レイヤ上でアクセスポイントに接続することができる。さらに、モバイルデバイスは、シームレスなネットワークアクセスを容易にするために、ワイヤレスネットワークハンドオーバ通信を通して異種の(disparate)アクセスポイントへと移動することができる。セル再選択とも称されることができるそのようなハンドオーバ中に、ソースアクセスポイントとターゲットアクセスポイントとは、ハンドオーバを達成するために通信することができ、そしてモバイルデバイスは、それとともに通信するために使用されるターゲットアクセスポイントに特有の識別子または他の情報を受信することができる。しかしながら、モバイルデバイスが、（例えば、アクセスポイント識別子における混乱、またはパイロット疑似雑音（ＰＮ）に起因して）間違ったアクセスポイントに対して、ハンドオーバし、あるいは接続確立を試みることは、可能である。
【０００６】
モバイルデバイスは、アクセスポイントに間違って接続されることにより、異種のモバイルデバイスにすでに割り付けられている識別子を割り当てられることもさらに可能である。したがって、それらの識別子は、モバイルデバイスと、それからの通信を受信するアクセスポイントとの間に混乱を引き起こして競合する可能性がある。この混乱を直そうとする以前の試みは、識別子に関連した接続解放メッセージを送信することを含み、これは、アクセスポイントと正しく通信するモバイルデバイスと、アクセスポイントと間違って通信するモバイルデバイスとの両方に、接続を解放するようにさせる。
【発明の概要】
【０００７】
以下は、そのような態様の基本的理解を提供するために、特許請求の範囲の主題の様々な態様の簡略化された概要を提示している。この概要は、すべての企図される概要の広範な概説ではなく、そして重要な、または不可欠な要素を識別するようにも、そのような態様の範囲を示すようにも意図されてはいない。その唯一の目的は、後で提示されるさらに詳細な説明に対する前置きとして簡略化された形式で、開示された態様についてのいくつかの概念を提示することである。
【０００８】
１つまたは複数の実施形態と、その対応する開示とに従って、様々な態様は、モバイルデバイスのリソースの選択的解放を提供することを容易にすることに関連して説明され、ここでモバイルデバイスは、アクセスポイントに既に接続されているモバイルデバイスと競合する識別子を使用して間違ったアクセスポイントと通信する。一例においては、アクセスポイントは、通信が、現在接続されているモバイルデバイスから期待されるタイプのものでないことを決定することに少なくとも部分的に基づいて、モバイルデバイスからの間違った通信を検出することができる。それに応じて、アクセスポイントは、間違って接続されたモバイルデバイスだけに、アクセスポイントから切り離すようにさせる選択的解放メッセージを送信することができる。一例においては、選択的解放メッセージは、あいまい性解消識別子(disambiguation identifier)を有する既存の接続解放メッセージとすることができ、その結果、接続されたモバイルデバイスは、メッセージ、新しく定義されたメッセージ、他のどこかで提供されるコンテキスト、および／または同様なものを処理しない（その代わりに、間違って接続されたモバイルデバイスだけが行う）ようになる。したがって、選択的解放は、現在接続されているモバイルデバイスを乱すことなく、間違って接続するモバイルデバイスのために提供されることができる。
【０００９】
関連した態様によれば、ワイヤレス通信において選択的解放を実行するための方法が、提供される。本方法は、正しく接続されたモバイルデバイスから間違って接続されたモバイルデバイスのあいまい性を解消する(disambiguates)アクセスポイントから選択的解放通知を受信すること、を含むことができる。本方法は、選択的解放通知に少なくとも部分的に基づいてアクセスポイントに対する接続が間違っているかどうかを決定することと、アクセスポイントに対する接続が間違っていることを決定することに少なくとも部分的に基づいてアクセスポイントに対する接続を解放することと、をさらに含むことができる。
【００１０】
別の態様は、ワイヤレス通信装置に関する。ワイヤレス通信装置は、アクセスポイントからの選択的解放通知を得るように、そして選択的解放通知が、ワイヤレス通信装置に当てはまるかどうかを検出するように、構成された少なくとも１つのプロセッサを含むことができる。プロセッサは、さらに、選択的解放通知が当てはまるかどうかを検出することに少なくとも部分的に基づいてアクセスポイントからの接続を解放するように構成されている。ワイヤレス通信装置はまた、少なくとも１つのプロセッサに結合されたメモリを備える。
【００１１】
さらに別の態様は、ワイヤレスネットワークにおいて通信を開放することを容易にする装置に関する。本装置は、アクセスポイントから選択的解放メッセージを受信するための手段と、選択的解放メッセージに少なくとも部分的に基づいてアクセスポイントに対する接続が間違っているかどうかを決定するための手段と、を備えることができる。本装置は、アクセスポイントに対する接続が間違っているかどうかに応じて、アクセスポイントからの接続を解放するための手段、をさらに含むことができる。
【００１２】
さらに別の態様は、コンピュータプログラム製品に関し、このコンピュータプログラム製品は、少なくとも１台のコンピュータに、間違って接続されたモバイルデバイスのあいまい性を解消するアクセスポイントから選択的解放通知を受信するようにさせるためのコードを含むコンピュータ可読媒体を有することができる。コンピュータ可読媒体は、少なくとも１台のコンピュータに、選択的解放通知に少なくとも部分的に基づいてアクセスポイントに対する接続が間違っているかどうかを決定するようにさせるためのコードと、少なくとも１台のコンピュータに、アクセスポイントに対する接続が間違っているかどうかを決定することに少なくとも部分的に基づいてアクセスポイントに対する接続を解放するようにさせるためのコードと、を備えることもできる。
【００１３】
さらに、追加の態様は、アクセスポイントからの選択的解放メッセージを受信する選択的解放メッセージコンポーネントと、選択的解放メッセージに少なくとも部分的に基づいてアクセスポイントに対する接続が間違っているかどうかを見分ける(discerns)あいまい性解消識別子コンポーネントと、を含む装置に関する。本装置は、アクセスポイントに対する接続が、間違っているかどうかに応じてアクセスポイントからの接続を解放する解放コンポーネント、をさらに含むことができる。
【００１４】
さらなる態様によれば、競合する識別子を用いてモバイルデバイスを選択的に解放するための方法が、提供される。本方法は、識別子を備えるアクセス要求をモバイルデバイスから受信することと、その識別子が、接続されたモバイルデバイスに以前に割り付けられた割り当てられた識別子と競合することを決定することと、を含むことができる。本方法は、識別子と、割り当てられた識別子との間の競合に少なくとも部分的に基づいてモバイルデバイスと、接続されたモバイルデバイスとに選択的解放メッセージを送信すること、を含むこともできる。
【００１５】
別の態様は、ワイヤレス通信装置に関する。ワイヤレス通信装置は、モバイルデバイスから識別子を備えるアクセス要求を得るように、そして識別子と、接続されたモバイルデバイスに割り付けられる割り当てられた識別子との間の競合を検出するように構成された少なくとも１つのプロセッサ、を含むことができる。プロセッサは、さらに、競合する識別子と、割り当てられた識別子とに対応する選択的解放メッセージを送信するように構成されている。ワイヤレス通信装置はまた、少なくとも１つのプロセッサに結合されたメモリを備える。
【００１６】
さらに別の態様は、１つまたは複数のモバイルデバイスの選択的解放を要求することを容易にする装置に関する。本装置は、モバイルデバイスから識別子を備える通信を受信するための手段と、識別子が、接続されたモバイルデバイスに割り当てられる異種の識別子と競合することを決定するための手段と、を備えることができる。本装置は、識別子に少なくとも部分的に基づいて選択的解放メッセージを送信するための手段、をさらに含むことができる。
【００１７】
さらに別の態様は、コンピュータプログラム製品に関し、このコンピュータプログラム製品は、少なくとも１台のコンピュータに、識別子を備えるモバイルデバイスからのアクセス要求を受信するようにさせるためのコードを含むコンピュータ可読媒体を有することができる。コンピュータ可読媒体は、少なくとも１台のコンピュータに、識別子が、接続されたモバイルデバイスに以前に割り付けられた割り当てられた識別子と競合することを決定するようにさせるためのコードを備えることもできる。コンピュータ可読媒体は、少なくとも１台のコンピュータに、識別子と、割り当てられた識別子との間の競合に少なくとも部分的に基づいてモバイルデバイスと、接続されたモバイルデバイスとに対して選択的解放メッセージを送信するようにさせるためのコードをさらに含むことができる。
【００１８】
さらに、追加の態様は、装置に関する。本装置は、モバイルデバイスから識別子を備える通信を受信するトランシーバコンポーネントと、識別子が、接続されたモバイルデバイスに割り当てられる異種の識別子と競合することを決定する間違い通信検出コンポーネントと、を含むことができる。本装置は、識別子に少なくとも部分的に基づいて選択的解放メッセージを生成する選択的解放メッセージコンポーネント、をさらに含むことができ、そこでは、トランシーバコンポーネントは、モバイルデバイスと、接続されたモバイルデバイスとに対して選択的解放メッセージを送信する。
【００１９】
上記の目的および関連した目的の達成のために、１つまたは複数の実施形態は、以降で十分に説明され、特許請求の範囲において特に指摘される特徴を備える。以下の説明および添付の図面は、１つまたは複数の実施形態のある種の例示の態様を詳細に説明している。しかしながら、これらの態様は、様々な実施形態の原理が使用されることができる様々なやり方のうちの少しだけを示すにすぎず、そして説明される実施形態は、すべてのそのような態様と、それらの等価物とを含むように意図される。
【図面の簡単な説明】
【００２０】
【図１】ワイヤレスネットワークの中で選択的解放メッセージを通信するためのシステムのブロック図である。
【図２】ワイヤレス通信環境内で使用するための一例の通信装置の説明図である。
【図３】競合する識別子を使用してモバイルデバイスについての選択的解放メッセージを利用することを達成する一例のワイヤレス通信ネットワークを示している。
【図４】競合する識別子を有するモバイルデバイスについての選択的解放メッセージを利用する一例のワイヤレス通信システムを示している。
【図５】選択的解放通知を処理することを容易にする一例の方法のフローチャートである。
【図６】識別子の競合を解決するために選択的解放メッセージを送信する一例の方法のフローチャートである。
【図７】受信メッセージに応じて選択的解放を実行する一例の装置のブロック図である。
【図８】選択的解放メッセージを送信することを容易にする一例の装置のブロック図である。
【図９】ここにおいて説明される機能の様々な態様をインプリメントするために利用されることができるワイヤレス通信デバイスの例のブロック図である。
【図１０】ここにおいて説明される機能の様々な態様をインプリメントするために利用されることができるワイヤレス通信デバイスの例のブロック図である。
【図１１】ここにおいて説明される様々な態様に従う一例のワイヤレス多元接続通信システムを示している。
【図１２】ここにおいて説明される様々な態様が機能することができる一例のワイヤレス通信システムを示すブロック図である。
【図１３】ここにおいて説明される様々な態様をサポートし、そして利用することができるワイヤレス通信ネットワークの説明図である。
【詳細な説明】
【００２１】
特許請求の範囲の主題の様々な態様が、次に図面を参照して説明され、そこで同様な参照番号は、全体を通して同様な要素について言及するために使用される。以下の説明においては、説明の目的のために、非常に多くの特定の詳細が、１つまたは複数の態様についての完全な理解を提供するために述べられる。しかしながら、そのような態様（単数または複数）は、これらの特定の詳細なしに実行されることができることを明らかにすることができる。他の例においては、よく知られている構造およびデバイスは、１つまたは複数の態様を説明することを容易にするためにブロック図形式で示される。
【００２２】
本願において使用されるように、「コンポーネント」、「モジュール」、「システム」などの用語は、ハードウェアでも、ファームウェアでも、ハードウェアとソフトウェアとの組合せでも、ソフトウェアでも、あるいは実行中のソフトウェアのいずれでも、コンピュータに関連したエンティティを意味するように意図される。例えば、コンポーネントは、それだけには限定されないが、プロセッサ上で実行されるプロセス、集積回路、オブジェクト、実行形式、実行スレッド、プログラム、および／またはコンピュータとすることができる。例証として、コンピューティングデバイス上で実行されるアプリケーションも、そのコンピューティングデバイスも共に、コンポーネントとすることができる。１つまたは複数のコンポーネントは、プロセスおよび／または実行スレッドの内部に存在することができ、そしてコンポーネントは、１台のコンピュータ上に局所化される、および／または２台以上のコンピュータの間に分散されることができる。さらに、これらのコンポーネントは、様々なデータ構造がその上に記憶されている様々なコンピュータ可読媒体から実行することもできる。コンポーネントは、１つまたは複数のデータパケット（例えば、ローカルシステム、分散システムにおける別のコンポーネントと、および／またはインターネットなどのネットワークを通して信号を経由して他のシステムと、相互作用する１つのコンポーネントからのデータ）を有する信号などに従って、ローカルおよび／またはリモートのプロセスを経由して通信することができる。
【００２３】
さらに、様々な態様が、ワイヤレス端末および／または基地局に関連してここにおいて説明される。ワイヤレス端末は、ユーザに対する音声および／またはデータの接続性を提供するデバイスを意味することができる。ワイヤレス端末は、ラップトップコンピュータやデスクトップコンピュータなどのコンピューティングデバイスに接続されることができ、あるいはそれは携帯情報端末（ＰＤＡ）などの自立型デバイスとすることができる。ワイヤレス端末は、システム、加入者ユニット、加入者局、移動局、モバイル、リモート局、アクセスポイント、リモート端末、アクセス端末、ユーザ端末、ユーザエージェント、ユーザデバイス、またはユーザ装置（ＵＥ）と呼ばれることもできる。ワイヤレス端末は、加入者局、ワイヤレスデバイス、セルラ電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとすることができる。基地局（例えば、アクセスポイントまたは進化型ノードＢ（ｅＮＢ）は、ワイヤレス端末とエアインターフェース上で、１つまたは複数のセクタを通して通信するアクセスネットワークの中のデバイスを意味することができる。基地局は、受信されたエアインターフェースフレームをＩＰパケットに変換することにより、ワイヤレス端末と、インターネットプロトコル（ＩＰ）ネットワークを含むことができるアクセスネットワークの残りとの間のルータとしての機能を果たすことができる。基地局はまた、エアインターフェースについての属性の管理を調整する。
【００２４】
さらに、ここにおいて説明される様々な機能は、ハードウェア、ソフトウェア、ファームウェア、またはそれらの任意の組合せの形でインプリメントされることができる。ソフトウェアの形でインプリメントされる場合、それらの機能は、コンピュータ可読媒体上に１つまたは複数の命令またはコードとして記憶され、あるいはその上で送信されることができる。コンピュータ可読媒体は、ある場所から別の場所へのコンピュータプログラムの転送を容易にする任意の媒体を含めて、コンピュータストレージ媒体と、通信媒体との両方を含んでいる。ストレージ媒体は、コンピュータによってアクセスされることができる任意の使用可能な媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコードを搬送し、または記憶するために使用されることができ、そしてコンピュータによってアクセスされることができる他の任意の媒体、を備えることができる。また、任意の接続は、コンピュータ可読媒体と適切に名づけられることもある。例えば、ソフトウェアが、同軸ケーブル、光ファイバケーブル、ツイストペア、デジタル加入者回線（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義の中に含まれる。ここにおいて使用されるようなディスク(Disk)およびディスク(disc)は、コンパクトディスク(disc)（ＣＤ）、レーザーディスク（登録商標）(disc)、光ディスク(disc)、デジタル多用途ディスク(disc)（ＤＶＤ）、フロッピー（登録商標）ディスク(disk)、およびブルーレイディスク(disc)を含み、ここでディスク(disks)は通常、データを磁気的に再生し、そしてディスク(discs)は、レーザを用いて光学的にデータを再生する。上記の組合せもまた、コンピュータ可読媒体の範囲内に含められるべきである。
【００２５】
ここにおいて説明される様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリアＦＤＭＡ（ＳＣ−ＦＤＭＡ）システム、他のそのようなシステムなど、様々なワイヤレス通信システムのために使用されることができる。用語「システム」と、「ネットワーク」とは、多くの場合に、ここにおいて交換可能に使用される。ＣＤＭＡシステムは、ユニバーサル地上波無線アクセス（ＵＴＲＡ）、ＣＤＭＡ２０００などの無線技術をインプリメントすることができる。ＵＴＲＡは、広帯域ＣＤＭＡ（Ｗ−ＣＤＭＡ）と、ＣＤＭＡの他の変形と、を含む。さらに、ＣＤＭＡ２０００は、ＩＳ−２０００規格と、ＩＳ−９５規格と、ＩＳ−８５６規格と、をカバーする。ＴＤＭＡシステムは、グローバルシステムフォーモバイルコミュニケーション（ＧＳＭ（登録商標））などの無線技術をインプリメントすることができる。ＯＦＤＭＡシステムは、進化型(Evolved)ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）などの無線技術をインプリメントすることができる。ＵＴＲＡと、Ｅ−ＵＴＲＡとは、ユニバーサルモバイルテレコミュニケーションシステム（ＵＭＴＳ）の一部分である。３ＧＰＰロングタームエボリューション（ＬＴＥ）は、Ｅ−ＵＴＲＡを使用する来るべきリリースであり、これは、ダウンリンク上のＯＦＤＭＡと、アップリンク上のＳＣ−ＦＤＭＡとを使用する。ＵＴＲＡ、Ｅ−ＵＴＲＡ、ＵＭＴＳ、ＬＴＥおよびＧＳＭは、「第３世代パートナーシッププロジェクト」（３ＧＰＰ）と命名された組織からの文書の中で説明される。さらにＣＤＭＡ２０００およびＵＭＢは、「第３世代パートナーシッププロジェクト２」（３ＧＰＰ２）と命名された組織からの文書の中で説明される。
【００２６】
様々な態様は、いくつかのデバイスと、コンポーネントと、モジュールなどとを含むことができるシステムの観点から、提示されることになる。様々なシステムは、追加のデバイス、コンポーネント、モジュールなどを含むことができる、および／または図面に関連して論じられるデバイス、コンポーネント、モジュールなどのすべてを含まない可能性もあることを理解し、そして認識すべきである。これらのアプローチの組合せが、使用されることもできる。
【００２７】
次に図面を参照すると、図１は、競合する識別子を使用してアクセスポイントと通信するモバイルデバイスの選択的解放を提供することを容易にする一例のワイヤレスネットワーク１００を示している。ネットワーク１００は、ワイヤレスネットワークに対するアクセスを受信するために、そしてモバイルデバイス通信をターゲットアクセスポイント１０６へとハンドオーバするために、ソースアクセスポイント１０４と通信するモバイルデバイス１０２、を含んでいる。さらに、接続されたモバイルデバイス１１０に対するワイヤレスネットワークアクセスを提供する異種のアクセスポイント１０８が、示されている。説明されるように、モバイルデバイス１０２は、セル無線ネットワーク一時的識別子(cell radio network temporary identifier)（Ｃ−ＲＮＴＩ）など、ソースアクセスポイント１０４に対してローカルな識別子を使用して、ソースアクセスポイント１０４と通信することができる。同様に、接続されたモバイルデバイス１１０は、異種のアクセスポイント１０８に対してローカルな識別子を使用して、異種のアクセスポイント１０８と通信することもできる。
【００２８】
一例によれば、モバイルデバイス１０２は、シームレスなネットワークアクセスを容易にするために、異種のアクセスポイントに対して通信をハンドオーバして、ワイヤレスネットワーク上で移動することができる。一例においては、ソースアクセスポイント１０４は、モバイルデバイス１０２からそこへと通信をハンドオーバするために、ターゲットアクセスポイント１０６と通信することができる。これは、一例においては、モバイルデバイス１０２によって開始されることができる。ハンドオーバプロシージャの一部分として、ターゲットアクセスポイント１０６は、ターゲットアクセスポイント１０６との即時通信を容易にするためにモバイルデバイス１０２のために識別子を割り付けることができる。一例においては、ターゲットアクセスポイント１０６は、直截的に(outright)、またはソースアクセスポイント１０４を経由して、モバイルデバイス１０２に対して識別子を提供することができる。
【００２９】
モバイルデバイス１０２は、一時的識別子（図示されず）を使用してターゲットアクセスポイント１０６との通信を開始することができる。一例においては、しかしながら、モバイルデバイス１０２は、ターゲットアクセスポイント１０６の代わりに異種のアクセスポイント１０８との通信を開始することができる。これは、ターゲットアクセスポイント１０６と、異種のアクセスポイント１０８とに関連したアクセスポイント識別子の混乱など、様々な要因によって引き起こされることができる。一例においては、アクセスポイント１０６および１０８は、異種展開の一部分であり、そして識別子における競合について知らない可能性がある。識別子は、例えば、物理セル識別子、パイロット疑似雑音（ＰＮ）などに関連していることができ、これらは、与えられたアクセスポイントの間であいまいである可能性がある。
【００３０】
この場合には、異種のアクセスポイント１０８は、識別子に基づいてモバイルデバイス１０２による間違った通信の開始を検出することができる。しかしながら、モバイルデバイス１０２に割り当てられた識別子が、異種のアクセスポイント１０８により、接続されたモバイルデバイス１１０に割り当てられた識別子とマッチする場合、異種のアクセスポイント１０８は、モバイルデバイス１０２から受信されるデータに少なくとも部分的に基づいて、間違った通信の開始を決定することができる。例えば、モバイルデバイス１０２は、識別子を備える、異種のアクセスポイント１０８に対する通信確立メッセージ（例えば、無線リソース制御（ＲＲＣ）の接続セットアップ完了(CONNECTION SETUP COMPLETE)、またはアクセスプロシージャに関連した何らかの他のメッセージ）を送信する可能性が高い。異種のアクセスポイント１０８が、接続されたモバイルデバイス１１０との接続を確立している場合、それは、接続されたモバイルデバイス１１０からそのようなメッセージを受信することを予想していない。したがって、これは、モバイルデバイス１０２の一部分の上の間違った通信を示すことができる。
【００３１】
これに関して、異種のアクセスポイント１０８は、モバイルデバイス１０２に、それが間違ったアクセスポイントとの接続確立を試みていることを通知することができる。一例においては、これは、選択的解放通知をモバイルデバイスに対して送信することにより、達成されることができる。これは、例えば、接続を解放するようにモバイルデバイス１０２に対して指示する接続解放メッセージ（例えば、ＲＲＣ接続解放(RRC CONNECTION RELEASE)）を含むことができるが、しかしながら、このメッセージは、あいまい性解消識別子、および／または選択的である表示と共に送信されることができ、その結果、接続されたモバイルデバイス１１０は、接続を解放しようと試みないこともある。選択的解放通知は、新しく定義されたメッセージ（例えば、ＲＲＣ条件付き解放メッセージ(RRC CONDITIONAL RELEASE MESSAGE)）、セキュリティ保護された、またはコンテキストチェックのメッセージ（例えば、カウンタチェック(COUNTER CHECK)）、および／または同様なもの、をさらに含むことができる。
【００３２】
次に図２を参照すると、ワイヤレス通信ネットワークに参加することができる通信装置２００が、示されている。通信装置２００は、モバイルデバイス、アクセスポイント、それらの一部分、またはワイヤレスネットワークに対するアクセスを受信することができる実質的に任意のデバイスとすることができる。通信装置２００は、選択的解放メッセージを受信することができる選択的解放メッセージコンポーネント２０２と、選択的解放メッセージが通信装置２００に当てはまるかどうかを決定することができるあいまい性解消識別子コンポーネント２０４と、選択的解放メッセージに基づいて通信を開放することができる解放コンポーネント２０６と、を含むことができる。
【００３３】
一例によれば、選択的解放メッセージコンポーネント２０２は、選択的解放通知を受信することができる。これは、説明されるように、通信装置２００が、接続確立を要求したアクセスポイント（図示されず）などのエンティティによって受信されることができる。一例においては、選択的解放通知は、ＲＲＣ接続解放(RRC CONNECTION RELEASE)などの接続解放メッセージとすることができ、この接続解放メッセージは、あいまい性解消識別子、および／またはそれが選択的メッセージであるという表示、をさらに備える。一例においては、あいまい性解消識別子の存在、および／または（例えば、あいまい性解消識別子コンポーネント２０４による）あいまい性解消識別子の検出を示すビットは、メッセージが選択的であることを示すことができる。
【００３４】
メッセージが選択的解放メッセージである場合には、あいまい性解消識別子コンポーネント２０４は、メッセージの中の関連したあいまい性解消識別子を決定することができ、このあいまい性解消識別子は、正しく、または間違って接続された通信装置に特有のものである。例えば、このあいまい性解消識別子は、通信装置２００、または解放が要求され、または要求されていない異種の通信装置からの選択的解放メッセージを送信するエンティティによって受信される最後の、または以前のアップリンクメッセージのシグネチャまたはチェックサムとすることができる。シグネチャまたはチェックサムが、解放が要求される通信装置２００に関連している場合、例えば、あいまい性解消識別子コンポーネント２０４は、シグネチャまたはチェックサムを以前に送信されたメッセージのシグネチャまたはチェックサムと比較することができる。それが以前のメッセージとマッチする場合、解放コンポーネント２０６は、選択的解放メッセージを送信するエンティティからの通信を開放することができる。同様に、シグネチャまたはチェックサムが、解放が要求されていない通信装置２００に関連している場合には、それが通信装置２００からの以前のメッセージとマッチする場合、通信装置２００は、通信を継続し、あるいはそれがマッチしていなければ、解放コンポーネント２０６を経由して別の方法で通信を開放することができる。複数の以前のメッセージは、選択的解放メッセージを受信する前に、別のアップリンクメッセージを送信する通信装置２００を明らかにするためにあいまい性解消識別子コンポーネント２０４によってチェックされることができることを理解すべきである。
【００３５】
さらに別の例においては、あいまい性解消識別子は、巡回冗長度チェック（ＣＲＣ）、ＲＲＣトランザクション識別子、下位レイヤからのシーケンス番号や、ホッピングパターン、拡散コード、および／または同様なものなどの物理レイヤ態様など、以前に送信されたメッセージの実質的に任意の機能とすることができる。別の例においては、選択的解放メッセージに関連したあいまい性解消識別子は、選択的解放メッセージを送信するエンティティによって送信されるセキュリティまたはコンテキストのチェックとすることができる。例えば、エンティティと正しく通信する通信装置は、セキュリティまたはコンテキストのチェックを復号することができるが、間違って通信する装置は、それができない。したがって、あいまい性解消識別子コンポーネント２０４が、選択的解放メッセージコンポーネント２０２において選択的解放メッセージを受信するとすぐに、セキュリティまたはコンテキストのチェックを復号することができない場合、解放コンポーネント２０６は、エンティティからの通信を開放することができる。さらに、一例においては、あいまい性解消識別子は、国際的モバイル加入者識別情報（ＩＭＳＩ）、システムアーキテクチャ進化（ＳＡＥ）一時的モバイル加入者識別情報（Ｓ−ＴＭＳＩ）、パケットＴＭＳＩ（Ｐ−ＴＭＳＩ）、および／または同様なものとすることができ、これらは、コアネットワークから導き出されることができる。
【００３６】
さらに別の例においては、選択的解放メッセージは、通信装置２００に対して特に選択的解放を示すための新しく定義されたメッセージとすることができる。別の例においては、選択的解放メッセージは、上記に説明されるように、セキュリティまたはコンテキストのチェックそれ自体とすることができる。したがって、単にあいまい性解消識別子である代わりに、セキュリティチェックが、通信装置２００に対して送信されることができ、そして選択的解放メッセージコンポーネント２０２は、セキュリティチェックを受信することができる。通信装置２００が、チェックを復号することができない場合、解放コンポーネント２０６は、エンティティからの通信を開放することができる。
【００３７】
次に図３を参照すると、間違って接続するモバイルデバイスをアクセスポイントから選択的に解放することを容易にするワイヤレス通信システム３００が、示されている。ワイヤレスデバイス３０２および３０４、および／またはアクセスポイント１０４、１０６、および１０８は、モバイルデバイス（例えば、独立に電源が供給されたデバイスだけでなくモデムも含めて）、基地局、および／またはそれらの一部分とすることができる。さらに、システム３００は、ＭＩＭＯシステムとすることができ、および／または１つまたは複数のワイヤレスネットワークシステム仕様（例えば、ＥＶ−ＤＯ、３ＧＰＰ、３ＧＰＰ２、３ＧＰＰ  ＬＴＥ、ＷｉＭＡＸなど）に準拠することができる。また、ワイヤレスデバイス３０２の中で示され、そして以下で説明されるコンポーネントおよび機能は、ワイヤレスデバイス３０４の中に存在することができ、同様に、異種のアクセスポイント１０８の中で示され、そして説明されるコンポーネントおよび機能は、ソースアクセスポイント１０４および／またはターゲットアクセスポイント１０６の中に存在することができる。一例においては、示されるコンフィギュレーションは、説明を簡単にするためにこれらのコンポーネントを除外している。
【００３８】
ワイヤレスデバイス３０２は、ハンドオーバパラメータを得ることができるハンドオーバ情報受信コンポーネント３０６と、アクセスポイントとの通信を開始することができる通信確立コンポーネント３０８と、説明されるようにアクセスポイントから選択的解放通知を受信することができる選択的解放メッセージコンポーネント２０２と、選択的解放通知がワイヤレスデバイスに当てはまるかどうかを決定することができるあいまい性解消識別子コンポーネント２０４と、セキュリティまたは他のタイプのコンテキストのチェックを復号しようと試みることができるセキュリティ／コンテキストチェックコンポーネント３１０と、アクセスポイント通信を開放することができる解放コンポーネント２０６と、様々なワイヤレスネットワークデバイスに対して情報を通信するトランシーバコンポーネント３１２と、を含むことができる。ワイヤレスデバイス３０２は、ワイヤレスネットワークアクセスを受信するためにソースアクセスポイント１０４と通信することができ、そしてソースアクセスポイント１０４は、ワイヤレスデバイス３０２の通信をターゲットアクセスポイント１０６に対してハンドオーバすることを容易にするためにターゲットアクセスポイント１０６と通信することができる。
【００３９】
異種のアクセスポイント１０８は、ワイヤレスデバイス３０４に対してワイヤレスネットワークアクセスを提供することができる。異種のアクセスポイント１０８は、いつワイヤレスデバイスが、間違って異種のアクセスポイント１０８にアクセスするかを決定することができる間違い通信検出コンポーネント３１４と、異種のアクセスポイント１０８からの通信を開放するコマンドを生成する選択的メッセージ解放コンポーネント３１６と、同じ識別子を使用する接続されたワイヤレスデバイスから間違って接続するワイヤレスデバイスを選び出す(single out)あいまい性解消識別子を示すあいまい性解消識別子指定コンポーネント３１８と、ワイヤレスネットワークの中でメッセージを送信するトランシーバコンポーネント３２０と、を含むことができる。
【００４０】
一例によれば、説明されるように、ワイヤレスデバイス３０２は、ソースアクセスポイント１０４からワイヤレスネットワークアクセスを受信することができ、そしてターゲットアクセスポイント１０６に対してハンドオーバを開始することができる。ソースアクセスポイント１０４は、一例においては、ワイヤレスデバイス３０２に関するコンテキスト情報を提供するために、そしてワイヤレスデバイス３０２が、それと通信するために割り当てられるターゲットアクセスポイント１０６に対してローカルな識別子を取り出すために、ターゲットアクセスポイント１０６と通信することができる。ハンドオーバ情報受信コンポーネント３０６は、ソースアクセスポイント１０４またはターゲットアクセスポイント１０６から識別子を得ることができる。それに応じて、通信確立コンポーネント３０８は、識別子を使用してターゲットアクセスポイントとの通信を開始することができる。この例においては、しかしながら、通信確立コンポーネント３０８は、識別子を使用して異種のアクセスポイント１０８との接続を開始しようと試みる可能性がある。これは、例えば、異種のアクセスポイント１０８が、ターゲットアクセスポイント１０６と同じ、または類似したアクセスポイント識別子を有する場合に（例えば、異種展開において）起こることができる。
【００４１】
間違い通信検出コンポーネント３１４は、ワイヤレスデバイス３０２が、異種のアクセスポイント１０８との間違って試みられた接続を有することを決定することができる。一例においては、これは、通信確立コンポーネント３０８によって利用される識別子に基づいたものとすることができ、ここで、それは、異種のアクセスポイント１０８によって割り当てられていない識別子とマッチし、この場合には、異種のアクセスポイントは、単に通常の解放メッセージをワイヤレスデバイス３０２に対して送信することができるにすぎない。別の例においては、しかしながら、識別子は、異種のアクセスポイント１０８によってワイヤレスデバイス３０４に割り当てられる識別子と競合する可能性がある。この例においては、間違い通信検出コンポーネント３１４は、ワイヤレスデバイス３０２が、ワイヤレスデバイス３０２によって送信されるメッセージを評価することに少なくとも部分的に基づいて異種のアクセスポイント１０８に間違ってアクセスしていることを決定することができる。例えば、通信確立コンポーネント３０８が、（ターゲットアクセスポイント１０６とは対照的に）異種のアクセスポイント１０８に対してハンドオーバを間違って完了しようと試みている場合には、それは、一般的に接続完了メッセージ（例えば、ＲＲＣ接続セットアップ完了(RRC CONNECTION SETUP COMPLETE)）を送信し、これについては異種のアクセスポイント１０８は、異種のアクセスポイント１０８に既に接続されたワイヤレスデバイス３０４から予想しないであろう。間違い通信検出コンポーネント３１４は、この不整合性を発見し、そして識別子が、接続されたワイヤレスデバイス３０４と、間違って接続するワイヤレスデバイス３０２との両方によって使用されていることを決定することができる。
【００４２】
これに関して、選択的解放メッセージコンポーネント３１６は、異種のアクセスポイント１０８と通信するために競合する識別子を利用して、ワイヤレスデバイス３０２および３０４に対する送信のための選択的解放メッセージを生成することができる。説明されるように、一例においては、このメッセージは、ワイヤレスデバイス３０２またはワイヤレスデバイス３０４に関連した固有のあいまい性解消識別子に対応するパラメータ、および／または（ただの一般の接続解放メッセージとは対照的に）メッセージがそのような選択的解放であることの表示を有する、ＲＲＣ接続解放(RRC CONNECTION RELEASE)など、現在定義された解放メッセージとすることができる。一例においては、メッセージが、選択的解放であることの表示は、あいまい性解消識別子が、メッセージの中に存在することとすることができ、別の例においては、それは、明示的なビット、または実質的に任意の表示（例えば、メッセージの物理レイヤ特性に関連した表示など）とすることができる。
【００４３】
あいまい性解消識別子指定コンポーネント３１８は、選択的解放メッセージの中にあいまい性解消識別子を挿入することができる。説明されるように、これは、間違って通信するワイヤレスデバイス３０２、または正しく通信するワイヤレスデバイス３０４によって送信される以前のメッセージのチェックサムまたはシグネチャに関連していることができる。この例においては、トランシーバコンポーネント３２０は、メッセージをワイヤレスデバイス３０２および３０４へと送信することができる。ワイヤレスデバイス３０２において、選択的解放メッセージコンポーネント２０２は、メッセージを受信し、それが選択的解放メッセージであることを（関連したビットの、および／またはあいまい性解消識別子の存在に基づいて）決定し、そしてあいまい性解消識別子を抽出するためにあいまい性解消識別子コンポーネント２０４を活用することができる。あいまい性解消識別子コンポーネント２０４は、さらに、ワイヤレスデバイス３０２において決定される１つまたは複数の以前のメッセージのシグネチャまたはチェックサムとあいまい性解消識別子を比較することができる。あいまい性解消識別子が、間違って通信しているデバイスのメッセージ特性であり、そしてあいまい性解消識別子コンポーネント２０４が、それがワイヤレスデバイス３０２の以前のメッセージとマッチすることを決定する場合、解放コンポーネント２０６は、異種のアクセスポイント１０８からの通信を開放するメッセージを生成することができ、そしてトランシーバコンポーネント３１２は、関連したメッセージを異種のアクセスポイント１０８へと送信することができる。説明されるように、複数の以前のメッセージは、ワイヤレスデバイス３０２（またはそのコンポーネント）が、選択的解放メッセージを最初に受信することなく新しいメッセージを異種のアクセスポイント１０８へと送信する場合をサポートするために、あいまい性解消識別子コンポーネント２０４によってチェックされることができる。
【００４４】
別の例においては、あいまい性解消識別子が、正しく通信していると決定されるデバイスのメッセージ特性であり、そしてあいまい性解消識別子コンポーネント２０４が、マッチを見出す場合には、アクションは、異種のアクセスポイント１０８と通信し続けることを除いて、ワイヤレスデバイス３０２によって取られることができない。上記の他の例においては、ワイヤレスデバイス３０２は、間違って接続するモバイルデバイスとして説明されるが、この例においては、しかしながら、あいまい性解消識別子コンポーネント２０４によって識別されるように、ワイヤレスデバイス３０２は、正しく接続されたワイヤレスデバイスになることを理解すべきである。ワイヤレスデバイス３０４が、それぞれのコンポーネントと機能とを有する場合には、この例においては、それは、説明されるように、マッチするメッセージを見出さないことになり、そしてその接続を解放することになる。
【００４５】
別の例においては、あいまい性解消識別子指定コンポーネント３１８は、セキュリティまたはコンテキストのチェックをあいまい性解消識別子として、追加して、またはその代わりに示すことができる。一例においては、明示的なセキュリティまたは他のコンテキストが、示されることができ、あいまい性解消識別子コンポーネント２０４は、これを利用されたセキュリティまたは他のコンテキストと比較することができる。説明されるようにアルゴリズムに応じて、マッチし、またはマッチしない場合、解放コンポーネント２０６は、異種のアクセスポイント１０８からの接続を解放することができる
、および／またはトランシーバコンポーネント３１２は、関連したメッセージを送信することができる。さらに、あいまい性解消識別子は、ＩＭＳＩ、Ｓ−ＴＭＳＩ、Ｐ−ＴＭＳＩ、および／または同様なものとすることができ、あいまい性解消識別子指定コンポーネント３１８は、これらを異種のアクセスポイント１０８に接続されたコアワイヤレスネットワーク（図示されず）から受信することができる。
【００４６】
さらに別の例においては、新しく定義されたメッセージが、選択的解放を示すために利用されることができる。例えば、ＲＲＣ条件付き解放メッセージ(RRC CONDITIONAL RELEASE MESSAGE)が、定義されることができる。説明されるように、間違い通信検出コンポーネント３１４が、選択的解放についての状況に出合う場合には、選択的解放メッセージコンポーネント３１６は、選択的解放メッセージを生成することができ、そしてトランシーバコンポーネント３２０は、メッセージを少なくともワイヤレスデバイス３０２へと送信することができる。あいまい性解消識別子指定コンポーネント３１８は、新しく定義されたメッセージの中であいまい性解消識別子を同様に示すことができ、そしてトランシーバコンポーネント３２０は、メッセージをワイヤレスデバイス３０２へと送信することができることを理解すべきである。選択的解放メッセージコンポーネント２０２は、新しく定義されたメッセージを同様に受信することができ、そしてあいまい性解消識別子コンポーネント２０４は、関連したあいまい性解消識別子を決定することができる。識別子が、上記で説明されるように、あいまい性解消識別子コンポーネント２０４に応じて、ワイヤレスデバイス３０２がその接続を解放すべきであることを示す場合、解放コンポーネント２０６は、解放することができる、および／またはトランシーバコンポーネント３１２は、関連したメッセージを送信することができる。
【００４７】
さらに、一例においては、セキュリティおよび／またはコンテキストのチェックが、選択的解放メッセージとして使用されることができる。例えば、間違い通信検出コンポーネント３１４が、競合する識別子を用いて間違った接続のワイヤレスデバイス３０２を決定するとすぐに、選択的解放メッセージコンポーネントは、セキュリティまたはコンテキストに特有であるカウンタチェック(COUNTER CHECK)メッセージなど、セキュリティまたはコンテキストのチェックメッセージを生成することができる。あいまい性解消識別子は、この場合には必要とされなくてもよいことを理解すべきである。トランシーバコンポーネント３２０は、セキュリティまたはコンテキストのチェックメッセージをワイヤレスデバイス３０２および３０４へと送信することができる。選択的解放メッセージコンポーネント２０２は、セキュリティまたはコンテキストのチェックを受信することができ、そしてワイヤレスデバイス３０２のセキュリティ／コンテキストチェックコンポーネント３１０は、セキュリティまたはコンテキストのチェックを復号しようと試みることができる。それが必要なセキュリティまたは他のコンテキストを確立していないので（例えば、それが異種のアクセスポイント１０８との通信をセットアップすることを完了していないので）、それは、できない可能性が高い。ワイヤレスデバイス３０４が、異種のアクセスポイント１０８との以前の通信をセットアップしており、そして正しく接続されたアクセスポイントであるので、しかしながら、それは、それが関連したセキュリティまたは他のコンテキストを受信している可能性が高いので、セキュリティまたはコンテキストのチェックを復号することができる。セキュリティまたはコンテキストのチェックを復号することができないデバイスは、異種のアクセスポイント１０８に対するその接続を（例えば、説明されるように、解放コンポーネント２０６を経由して）解放することができる。
【００４８】
図４を参照すると、選択的解放を実行するためにｅＮＢとＵＥとの間の通信を容易にする一例のワイヤレス通信システム４００が、示されている。システム４００は、ワイヤレスネットワークに対するアクセスを提供するｅＮＢ４０２を含んでいる。ｅＮＢ４０２は、説明されるように、識別子Ｘを使用した既存の接続４０８上でＵＥ２  ４０４と通信している。例えば、ＵＥ２  ４０４は、以前の時点でｅＮＢ４０２との通信を開始しており、そしてそれ自体を識別するためにｅＮＢ４０２から識別子Ｘを受信している可能性がある。ＵＥ１  ４０６は、ターゲットｅＮＢ（図示されず）に対するハンドオーバを実行するために異種のｅＮＢ（図示されず）と通信している可能性がある。ＵＥ１  ４０６は、例えば、ターゲットｅＮＢによって識別子Ｘを割り当てられることができる。いずれにしても、ＵＥ１  ４０６は、識別子Ｘを使用した、ｅＮＢ４０２に対するアクセスプロシージャ４１０を試みることができる。
【００４９】
ｅＮＢ４０２は、衝突を検出することができる（４１２）。説明されるように、これは、ＵＥ１  ４０６が、アクセスプロシージャメッセージを送信していることを決定することを含むことができ、ここでｅＮＢ４０２は、正しいＵＥ（ＵＥ２  ４０４）からの通常のデータまたは制御メッセージを予想することになる。したがって、ｅＮＢ４０２は、ＵＥの間に競合が存在することを知っている。これに関して、ｅＮＢ４０２は、４１４および４１６に示されるように、識別子Ｘを使用して選択的解放メッセージをＵＥへと送信する。説明されるように、選択的解放メッセージは、既存の、または新しく定義されたメッセージとすることができ、そしてあいまい性解消識別子を備えることができ、このあいまい性解消識別子は、正しく、または間違って接続されたＵＥに関係づけられることができる。別の例においては、選択的解放メッセージは、セキュリティまたはコンテキストのチェックメッセージとすることができる。いずれにしても、ＵＥ１  ４０６およびＵＥ２  ４０４は、選択的解放メッセージを受信し、そして接続を解放すべきかどうかを決定することができる。
【００５０】
メッセージが、以前に送信されたメッセージの１つまたは複数のパラメータまたは詳細などのあいまい性解消識別子を備える場合には、ＵＥ２  ４０４は、あいまい性解消識別子とマッチしないこと４２０を決定することができ（例えば、あいまい性解消識別子が、間違って接続されたＵＥに関連している場合）、そしてその既存の接続を継続すること４２０ができる。逆に、ＵＥ１  ４０６は、あいまい性解消識別子とのマッチ４２２（例えば、以前のメッセージまたはそれに関連したパラメータが、あいまい性解消識別子とマッチし、ＩＭＳＩ、Ｓ−ＴＭＳＩ、またはＰ−ＴＭＳＩが、識別子とマッチする、および／または説明されるように、同様なことが起こること）を決定することができる。それに応じて、ＵＥ１  ４０６は、説明されるように、ＲＲＣ接続解放４２４を実行することができる。別の例においては、選択的解放メッセージ４１４および４１６が、セキュリティまたはコンテキストのチェックである場合には、あいまい性解消識別子とマッチしないステップ４１８は、チェックが復号可能であるかどうかを決定することをその代わりに必要とする可能性がある。その場合には、既存の接続は、継続し（４２０）、そうでない場合、そのときには接続は、解放される（４２４）。
【００５１】
次に図５〜６を参照すると、ここにおいて説明される様々な態様に従って実行されることができる方法が、示されている。説明の簡略化の目的のために、それらの方法は、一連の動作として示され、そして説明されるが、いくつかの動作が、１つまたは複数の態様に従って、ここにおいて示され、そして説明される順序とは異なる順序で、および／または他の動作と同時に起こることができるので、それらの方法は、動作の順序によって限定されないことを理解し、そして認識すべきである。例えば、当業者は、方法が、状態図の形など、一連の相互に関係づけられた状態またはイベントとして代わりに表されることができることを理解し、そして認識するであろう。さらに、必ずしもすべての例示された動作が、１つまたは複数の態様に従って方法をインプリメントするために必要とされなくてもよい。
【００５２】
図５を参照すると、ワイヤレス通信において選択的解放メッセージを処理するための方法５００が、示されている。５０２において、選択的解放通知は、間違って接続されたモバイルデバイスのあいまい性を解消するアクセスポイントから受信されることができる。説明されるように、選択的解放通知は、ＲＲＣ接続解放(RRC CONNECTION RELEASE)や他の無線レイヤメッセージなど、一般的な接続解放メッセージ、または新しく定義されたメッセージとすることができる。さらに、選択的解放通知は、セキュリティまたはコンテキストのチェックメッセージとすることができる。５０４において、選択的解放通知に少なくとも部分的に基づいてアクセスポイントに対する接続が間違っているかどうかが、決定されることができる。これは、説明されるように、以前のメッセージの１つまたは複数の態様に対して、固有の識別子に対して、および／または同様なものに対して、通知の中のあいまい性解消識別子を評価することを含むことができる。述べられるように、あいまい性解消識別子とのマッチは、アクセスポイントとの接続が間違っていることを示すことができ、逆もまた同様である。選択的解放通知が、セキュリティまたはコンテキストのチェックである場合には、これは、チェックを復号することを含むことができ、例えば、チェックが、成功して復号される場合、アクセスポイントに対する接続は、間違っていない可能性が高い。５０６において、アクセスポイントに対する接続は、接続が間違っていると以前のステップで決定されるときに、解放されることができる。したがって、解放は、正しく接続されたモバイルデバイスとのアクセスポイントの通信を中断しないように、選択的とすることができる。
【００５３】
図６を参照すると、競合する識別子を用いて選択的解放メッセージをモバイルデバイスへと送信することを容易にする方法６００が、示されている。６０２において、識別子を備えるアクセス要求が、モバイルデバイスから受信されることができる。６０４において、この識別子が、接続されたモバイルデバイスに割り付けられる割り当てられた識別子と競合することが決定されることができる。説明されるように、例えば、これは、モバイルデバイスが、ターゲットアクセスポイントとして間違ったアクセスポイントを選択する場合のハンドオーバ中に起こることができる。さらに、競合は、アクセス要求を評価することと、アクセス要求が、識別子に関連した接続されたモバイルデバイスからの次の通信として予想されなかったことを決定することと、に基づいて決定されることができる。６０６において、選択的解放メッセージは、競合に少なくとも部分的に基づいてモバイルデバイスと、接続されたモバイルデバイスとに対して送信されることができる。説明されるように、選択的解放メッセージは、モバイルデバイスと、接続されたモバイルデバイスとが、それらがアクセスポイントに正しく接続されているかどうかを識別することを可能にすることができる。選択的解放メッセージは、これに関して、モバイルデバイスのうちの１つに関連したあいまい性解消識別子を備えることができ、別の例においては、メッセージそれ自体の性質は、デバイスのあいまい性（例えば、説明されるように、セキュリティまたはコンテキストのチェックが、復号されることができるか否か）を解消することができる。
【００５４】
ここにおいて説明される１つまたは複数の態様に従って、推論が、アクセスポイントに対する接続が正しいか、あるいは間違っているかを決定すること、あいまい性解消識別子の適用可能性、および／または同様なものに関して行われることができることが、理解されるであろう。ここにおいて使用されるように、用語「推測する(infer)」こと、または「推論(inference)」は、一般にイベントおよび／またはデータを経由して取り込まれるような観察のセットからシステム、環境、および／またはユーザ、の状態について推論すること、またはそれらの状態を推測することのプロセスを意味する。推論は、特定のコンテキストまたはアクションを識別するために使用されることができ、あるいは例えば状態についての確率分布を生成することができる。推論は、確率論的であり、すなわちデータおよびイベントの考察に基づいた関心のある状態についての確率分布の計算とすることができる。推論はまた、イベントのセットおよび／またはデータから、より高レベルのイベントを構成するために使用される技法を意味することもできる。そのような推論は、それらのイベントが、時間的に近接して相関づけられても、相関づけられなくても、そしてそれらのイベントおよびデータが、１つまたは複数のイベントおよびデータのソースに由来していようとなかろうと、観察されたイベントのセットおよび／または記憶されたイベントデータから新しいイベントまたはアクションの構築をもたらす。
【００５５】
図７を参照すると、ワイヤレスネットワークにおいて選択的解放メッセージを処理するシステム７００が、示されている。例えば、システム７００は、基地局、モバイルデバイス、またはワイヤレスネットワークに対するアクセスを提供する別のデバイスの内部に少なくとも部分的に存在することができる。システム７００は、機能ブロックを含むものとして表され、これらの機能ブロックは、プロセッサ、ソフトウェア、またはそれらの組合せ（例えば、ファームウェア）によってインプリメントされる機能を表す機能ブロックとすることができることを理解すべきである。システム７００は、一緒に動作することができる電気コンポーネントの論理的グループ分け７０２を含んでいる。例えば、論理的グループ分け７０２は、アクセスポイントから選択的解放メッセージを受信するための電気コンポーネント７０４を含むことができる。説明されるように、これは、選択的インジケータ、新しいメッセージ、セキュリティまたはコンテキストのチェックなどを有する一般的な接続解放メッセージとすることができる。さらに、論理的グループ分け７０２は、選択的解放メッセージに少なくとも部分的に基づいてアクセスポイントに対する接続が間違っているかどうかを決定するための電気コンポーネント７０６を備えることができる。これは、例えば、システム７００の１つまたは複数の特性に対するメッセージ、あるいはシステム７００によってアクセスポイントに対して送信されるメッセージの中のあいまい性解消識別子、固有の識別子、セキュリティまたはコンテキストのチェックが復号されることができるかどうかなど、を評価することを必要とする可能性がある。
【００５６】
さらに、論理的グループ分け７０２は、アクセスポイントに対する接続が間違っているかどうかに応じてアクセスポイントからの接続を解放するための電気コンポーネント７０８を含むことができる。したがって、選択的解放は、アクセスポイント通信が、正しく接続されたモバイルデバイスについて継続することを可能にして提供される。さらに、論理的グループ分け７０２は、異種のアクセスポイントによって割り当てられる識別子を使用してアクセスポイントとの通信確立を試みるための電気コンポーネント７１０を含むことができる。述べられるように、モバイルデバイスによるこの混乱は、アクセスポイントにおいて識別子の競合する使用を引き起こす可能性がある。さらに、論理的グループ分け７０２は、ソースアクセスポイントから異種のアクセスポイントへのハンドオーバプロシージャ中に識別子を受信するための電気コンポーネント７１２を含むことができる。さらに、システム７００は、電気コンポーネント７０４、７０６、７０８、７１０、および７１２に関連する機能を実行するための命令を保持するメモリ７１４を含むことができる。メモリ７１４の外部にあるように示されるが、電気コンポーネント７０４、７０６、７０８、７１０、および７１０のうちの１つまたは複数は、メモリ７１４内に存在することもできることを理解すべきである。
【００５７】
図８を参照すると、競合する識別子を用いて通信するモバイルデバイスに対して選択的解放メッセージを送信するシステム８００が、示されている。例えば、システム８００は、基地局、モバイルデバイスなどの内部に少なくとも部分的に存在することができる。システム８００は、機能ブロックを含むものとして表され、これらの機能ブロックは、プロセッサ、ソフトウェア、またはそれらの組合せ（例えば、ファームウェア）によってインプリメントされる機能を表す機能ブロックとすることができることを理解すべきである。システム８００は、一緒に動作することができる電気コンポーネントの論理的グループ分け８０２を含んでいる。例えば、論理的グループ分け８０２は、モバイルデバイスからの識別子を備える通信を受信するための電気コンポーネント８０４を含むことができる。一例においては、通信は、システム８００に対するアクセスを求める要求に関連していることができる。さらに、論理的グループ分け８０２は、識別子が、接続されたモバイルデバイスに割り当てられる異種の識別子と競合することを決定するための電気コンポーネント８０６を備えることができる。説明されるように、これは、モバイルデバイスから受信される通信が、識別子に割り当てられる接続されたモバイルデバイスからは予想されなかったことを検出することを含むことができる。
【００５８】
さらに、論理的グループ分け８０２は、識別子に少なくとも部分的に基づいて選択的解放メッセージを送信するための電気コンポーネント８０８を含んでいる。例えば、選択的解放メッセージは、識別子を使用してアクセスポイントに接続されるすべてのモバイルデバイス（例えば、モバイルデバイス、および接続されたモバイルデバイス）に対して送信されることができる。したがって、上記で説明された機能を使用して、１つまたは複数のモバイルデバイスは、メッセージに基づいてアクセスポイントからのその接続を解放することができる。選択的解放メッセージは、説明されるように、一般的な接続解放メッセージ、新しく定義された選択的解放メッセージ、セキュリティまたはコンテキストのチェックなどとすることができる。さらに、論理的グループ分け８０２は、あいまい性解消識別子を選択し、そのあいまい性解消識別子を選択的解放メッセージの中に挿入するための電気コンポーネント８１０を含むこともできる。説明されるように、あいまい性解消識別子は、間違って、または正しく接続されたモバイルデバイスについての１つまたは複数の固有の態様、いずれかのモバイルデバイスによって送信される１つまたは複数のメッセージについての１つまたは複数の固有の態様、および／または同様なものに関係づけられることができる。さらに、システム８００は、電気コンポーネント８０４、８０６、８０８、および８１０に関連する機能を実行するための命令を保持するメモリ８１２を含むことができる。メモリ８１２の外部にあるように示されるが、電気コンポーネント８０４、８０６、８０８、および８１０のうちの１つまたは複数は、メモリ８１２内に存在することもできることを理解すべきである。
【００５９】
図９は、ここにおいて説明される機能の様々な態様をインプリメントするために利用されることができるシステム９００のブロック図である。一例においては、システム９００は、基地局またはｅＮＢ９０２を含む。図示されるように、ｅＮＢ９０２は、１つまたは複数の受信（Ｒｘ）アンテナ９０６を経由して１つまたは複数のＵＥ９０４から信号（単数または複数）を受信し、そして１つまたは複数の送信（Ｔｘ）アンテナ９０８を経由して１つまたは複数のＵＥ９０４へと送信することができる。さらに、ｅＮＢ９０２は、受信アンテナ（単数または複数）９０６から情報を受信する受信機９１０を備えることもできる。一例においては、受信機９１０は、受信情報を復調する復調器（Ｄｅｍｏｄ）９１２と動作的に関連づけられることができる。次いで、復調されたシンボルは、プロセッサ９１４によって分析されることができる。プロセッサ９１４は、メモリ９１６に結合されることができ、このメモリは、コードクラスタ、アクセス端末割当て、それに関連したルックアップテーブル、固有のスクランブリングシーケンス(scrambling sequences)、および／または他の適切なタイプの情報、に関連した情報を記憶することができる。一例においては、ｅＮＢ９０２は、方法５００、６００、および／または他の類似した適切な方法を実行するためにプロセッサ９１４を使用することができる。ｅＮＢ９０２は、送信アンテナ（単数または複数）９０８を通して送信機９２０による送信のために信号を多重化することができる変調器９１８を含むこともできる。
【００６０】
図１０は、ここにおいて説明される機能の様々な態様をインプリメントするために利用されることができる別のシステム１０００のブロック図である。一例においては、システム１０００は、モバイル端末１００２を含んでいる。図示されるように、モバイル端末１００２は、１つまたは複数の基地局１００４から信号（単数または複数）を受信し、そして１つまたは複数のアンテナ１００８を経由して１つまたは複数の基地局１００４へと送信することができる。さらに、モバイル端末１００２は、アンテナ（単数または複数）１００８から情報を受信する受信機１０１０を備えることができる。一例においては、受信機１０１０は、受信情報を復調する復調器（Ｄｅｍｏｄ）１０１２に動作的に関連づけられることができる。次いで、復調されたシンボルは、プロセッサ１０１４によって分析されることができる。プロセッサ１０１４は、メモリ１０１６に結合されることができ、このメモリは、モバイル端末１００２に関連したデータおよび／またはプログラムコードを記憶することができる。さらに、モバイル端末１００２は、方法５００、６００、および／または他の類似した適切な方法を実行するためにプロセッサ１０１４を使用することもできる。モバイル端末１００２は、説明された機能を達成するために上記の図の中で説明される１つまたは複数のコンポーネントを使用することもでき、一例においては、それらのコンポーネントは、プロセッサ１０１４によってインプリメントされることができる。モバイル端末１００２は、アンテナ（単数または複数）１００８を通しての送信機１０２０による送信のために信号を多重化することができる変調器１０１８を含むこともできる。
【００６１】
次に図１１を参照すると、ワイヤレス多元接続通信システムの説明図が、様々な態様に従って提供されている。一例においては、アクセスポイント１１００（ＡＰ）は、複数のアンテナグループを含んでいる。図１１に示されるように、１つのアンテナグループは、アンテナ１１０４および１１０６を含むことができ、別のグループは、アンテナ１１０８および１１１０を含むことができ、そして別のグループは、アンテナ１１１２および１１１４を含むことができる。図１１においては各アンテナグループについて２つのアンテナだけが示されているが、より多くの、またはより少ないアンテナが、各アンテナグループについて利用されることもできることを理解すべきである。別の例においては、アクセス端末１１１６は、アンテナ１１１２および１１１４と通信していることができ、ここでアンテナ１１１２および１１１４は、順方向リンク１１２０上でアクセス端末１１１６へと情報を送信し、そして逆方向リンク１１１８上でアクセス端末１１１６から情報を受信する。追加して、および／または代わりに、アクセス端末１１２２は、アンテナ１１０６および１１０８と通信していることができ、ここでアンテナ１１０６および１１０８は、順方向リンク１１２６上でアクセス端末１１２２へと情報を送信し、そして逆方向リンク１１２４上でアクセス端末１１２２から情報を受信する。周波数分割二重化システムにおいては、通信リンク１１１８、１１２０、１１２４および１１２６は、通信のために異なる周波数を使用することができる。例えば、順方向リンク１１２０は、逆方向リンク１１１８によって使用される周波数と異なる周波数を使用することができる。
【００６２】
それらが通信するように設計される各グループのアンテナ、および／またはエリアは、アクセスポイントのセクタと称されることができる。一態様に従って、アンテナグループは、アクセスポイント１１００によってカバーされるエリアのセクタの中でアクセス端末に対して通信するように設計されることができる。順方向リンク１１２０および１１２６上の通信においては、アクセスポイント１１１０の送信アンテナは、異なるアクセス端末１１１６および１１２２についての順方向リンクの信号対雑音比を改善するためにビーム形成を利用することができる。また、そのカバレージを通してランダムに散乱される、アクセス端末に対して送信するためにビーム形成を使用したアクセスポイントは、すべてのそのアクセス端末に対して単一アンテナを通して送信するアクセスポイントよりも、隣接セルの中のアクセス端末に対して少ない干渉を引き起こす。
【００６３】
アクセスポイント、例えば、アクセスポイント１１００は、端末と通信するために使用される固定局とすることができ、そして基地局、ｅＮＢ、アクセスネットワーク、および／または他の適切な専門用語と称されることもできる。さらに、アクセス端末、例えばアクセス端末１１１６または１１２２は、モバイル端末、ユーザ装置、ワイヤレス通信デバイス、端末、ワイヤレス端末、および／または他の適切な専門用語と称されることもできる。
【００６４】
次に図１２を参照すると、ここにおいて説明される様々な態様が、その中で機能することができる一例のワイヤレス通信システム１２００を示すブロック図が、提供されている。一例においては、システム１２００は、送信機システム１２１０と、受信機システム１２５０とを含む多入力多出力（ＭＩＭＯ）システムである。しかしながら、送信機システム１２１０および／または受信機システム１２５０は、多入力単一出力システムに適用されることもでき、そこで例えば複数の送信アンテナ（例えば、基地局上の）は、１つまたは複数のシンボルストリームを単一アンテナデバイス（例えば、移動局）へと送信することができることを理解すべきである。さらに、ここにおいて説明される送信機システム１２１０および／または受信機システム１２５０の態様は、単一出力から単一入力のアンテナシステムに関連して利用されることができることを理解すべきである。
【００６５】
一態様に従って、いくつかのデータストリームについてのトラフィックデータは、送信機システム１２１０において、データソース１２１２から送信（ＴＸ）データプロセッサ１２１４へと供給される。一例においては、各データストリームは、次いで、それぞれの送信アンテナ１２２４を経由して送信されることができる。さらに、ＴＸデータプロセッサ１２１４は、符号化されたデータを供給するためにそれぞれの各データストリームについて選択される特定の符号化スキームに基づいて各データストリームについてのトラフィックデータをフォーマットし、符号化し、そしてインターリーブすることができる。一例においては、各データストリームについての符号化されたデータは、次いで、ＯＦＤＭ技法を使用してパイロットデータと多重化されることができる。パイロットデータは、例えば、知られている方法で処理される既知のデータパターンとすることができる。さらに、パイロットデータは、チャネル応答を推定するために受信機システム１２５０において使用されることもできる。送信機システム１２１０に戻ると、各データストリームについての多重化されたパイロットと、符号化されたデータとは、変調シンボルを提供するためにそれぞれの各データストリームについて選択される特定の変調スキーム（例えば、ＢＰＳＫ、ＱＳＰＫ、Ｍ−ＰＳＫ、またはＭ−ＱＡＭ）に基づいて変調される（すなわち、シンボルマッピングされる）ことができる。一例においては、各データストリームについてのデータレート、符号化、および変調は、プロセッサ１２３０によって実行される、および／または提供される命令によって決定されることができる。
【００６６】
次に、すべてのデータストリームについての変調シンボルは、ＴＸプロセッサ１２２０へと提供されることができ、このＴＸプロセッサは、さらに、変調シンボル（例えば、ＯＦＤＭについての）を処理することができる。次いで、ＴＸ  ＭＩＭＯプロセッサ１２２０は、ＮＴ個の変調シンボルストリームをＮＴ個のトランシーバ１２２２ａないし１２２２ｔへと供給することができる。一例においては、各トランシーバ１２２２は、１つまたは複数のアナログ信号を供給するためにそれぞれのシンボルストリームを受信し、そして処理することができる。次いで、各トランシーバ１２２２は、ＭＩＭＯチャネル上の送信のために適した被変調信号を供給するために、さらに、アナログ信号を調整する（例えば、増幅し、フィルタにかけ、そしてアップコンバートする）ことができる。それに応じて、トランシーバ１２２２ａないし１２２２ｔからのＮＴ個の被変調信号は、次いで、それぞれＮＴ個のアンテナ１２２４ａないし１２２４ｔから送信されることができる。
【００６７】
別の態様に従って、送信された被変調信号は、受信機システム１２５０において、ＮＲ個のアンテナ１２５２ａないし１２５２ｒによって受信されることができる。各アンテナ１２５２からの受信信号は、次いで、それぞれのトランシーバ１２５４へと供給されることができる。一例においては、各トランシーバ１２５４は、それぞれの受信信号を調整し（例えば、フィルタにかけ、増幅し、そしてダウンコンバートし）、サンプルを供給するために調整された信号をデジタル化し、そして次いで、対応する「受信された」シンボルストリームを供給するためにサンプルを処理することができる。次いで、ＲＸ  ＭＩＭＯ／データプロセッサ１２６０は、ＮＴ個の「検出された」シンボルストリームを供給するために特定の受信機処理技法に基づいて、ＮＲ個のトランシーバ１２５４からのＮＲ個の受信シンボルストリームを受信し、そして処理することができる。一例においては、各検出シンボルストリームは、対応するデータストリームのために送信される変調シンボルの推定値であるシンボルを含むことができる。次いで、ＲＸプロセッサ１２６０は、対応するデータストリームについてのトラフィックデータを復元するために、各検出シンボルストリームを復調することと、デインターリーブすることと、復号することとにより、少なくとも部分的に各シンボルストリームを処理することができる。したがって、ＲＸプロセッサ１２６０による処理は、送信機システム１２１０においてＴＸ  ＭＩＭＯプロセッサ１２２０とＴＸデータプロセッサ１２１６とによって実行される処理と相補的とすることができる。ＲＸプロセッサ１２６０は、さらに、処理されたシンボルストリームをデータシンク１２６４へと供給することができる。
【００６８】
一態様に従って、ＲＸプロセッサ１２６０によって生成されるチャネル応答推定値は、受信機において空間／時間処理を実行するために、パワーレベルを調整するために、変調レートまたはスキームを変更するために、および／または他の適切なアクションのために使用されることができる。さらに、ＲＸプロセッサ１２６０は、さらに、例えば、検出されたシンボルストリームの信号対雑音干渉比（ＳＮＲ）などのチャネル特性を推定することができる。次いで、ＲＸプロセッサ１２６０は、推定されたチャネル特性をプロセッサ１２７０へと提供することができる。一例においては、ＲＸプロセッサ１２６０および／またはプロセッサ１２７０は、さらに、システムについての「動作」ＳＮＲの推定値を導き出すことができる。次いで、プロセッサ１２７０は、チャネル状態情報（ＣＳＩ）を提供することができ、このチャネル状態情報は、通信リンクおよび／または受信データストリームに関する情報を備えることができる。この情報は、例えば、動作ＳＮＲを含むことができる。次いで、ＣＳＩは、ＴＸデータプロセッサ１２１８によって処理され、変調器１２８０によって変調され、トランシーバ１２５４ａないし１２５４ｒによって調整され、そして送信機システム１２１０へと返信されることができる。さらに、受信機システム１２５０におけるデータソース１２１６は、ＴＸデータプロセッサ１２１８によって処理されるべき追加のデータを供給することができる。
【００６９】
送信機システム１２１０に戻ると、次いで、受信機システム１２５０からの被変調信号は、受信機システム１２５０によって報告されるＣＳＩを回復するために、アンテナ１２２４によって受信され、トランシーバ１２２２によって調整され、復調器１２４０によって復調され、そしてＲＸデータプロセッサ１２４２によって処理されることができる。一例においては、次いで、報告されたＣＳＩは、プロセッサ１２３０へと供給され、そしてデータレート、ならびに１つまたは複数のデータストリームのために使用されるべき符号化スキームおよび変調スキームを決定するために使用されることができる。次いで、決定された符号化スキームおよび変調スキームは、量子化、および／または受信機システム１２５０に対する後での送信における使用のために、トランシーバ１２２２に対して提供されることができる。追加して、および／または代わりに、報告されたＣＳＩは、ＴＸデータプロセッサ１２１４とＴＸ  ＭＩＭＯプロセッサ１２２０とのための様々な制御を生成するためにプロセッサ１２３０によって使用されることができる。別の例においては、ＲＸデータプロセッサ１２４２によって処理されるＣＳＩおよび／または他の情報は、データシンク１２４４へと供給されることができる。
【００７０】
一例においては、送信機システム１２１０におけるプロセッサ１２３０と、受信機システム１２５０におけるプロセッサ１２７０とは、それらのそれぞれのシステムにおいてオペレーションを指示する。さらに、送信機システム１２１０におけるメモリ１２３２と、受信機システム１２５０におけるメモリ１２７２とは、それぞれプロセッサ１２３０と１２７０とによって使用されるプログラムコードおよびデータのためのストレージを提供することができる。さらに、受信機システム１２５０において、様々な処理技法は、ＮＴ個の送信シンボルストリームを検出するためにＮＲ個の受信信号を処理するために使用されることができる。これらの受信機処理技法は、空間と時空の受信機処理技法を含むことができ、これらの技法は、等化技法、および／または「逐次的ゼロ化／等価および干渉除去」の受信機処理技法と称されることもでき、これらの技法は、「逐次的干渉除去」または「逐次的除去」の受信機処理技法と称されることもできる。
【００７１】
次に図１３を参照すると、いくつかのモバイルデバイスをサポートするように構成されたワイヤレス通信システム１３００が、示されている。システム１３００は、各セルが、対応するアクセスポイント１３０４Ａ〜１３０４Ｇによってサービスされている、例えば、マクロセル１３０２Ａ〜１３０２Ｇなど、複数のセルについての通信を提供する。上記に説明されるように、例えば、マクロセル１３０２Ａ〜１３０２Ｇに関連したアクセスポイント１３０４Ａ〜１３０４Ｇは、基地局とすることができる。モバイルデバイス１３０６Ａ〜１３０６Ｉは、ワイヤレス通信システム１３００全体を通して様々なロケーションに分散されて示される。各モバイルデバイス１３０６Ａ〜１３０６Ｉは、説明されるように、順方向リンクおよび／または逆方向リンク上で１つまたは複数のアクセスポイント１３０４Ａ〜１３０４Ｇと通信することができる。さらに、アクセスポイント１３０８Ａ〜１３０８Ｃが、示されている。これらは、説明されるように、特定のサービスロケーションに関連したサービスを提供するフェムトセル、ピコセル、中継ノードなどのより小さなスケールのアクセスポイントとすることができる。モバイルデバイス１３０６Ａ〜１３０６Ｉは、さらに、提供されたサービスを受信するために、これらのより小さなスケールのアクセスポイント１３０８Ａ〜１３０８Ｃと通信することができる。ワイヤレス通信システム１３００は、一例においては、大きな地理的領域上でサービスを提供することができる（例えば、マクロセル１３０２Ａ〜１３０２Ｇは、近傍における小数のブロックをカバーすることができ、そしてフェムトセルアクセスポイント１３０８Ａ〜１３０８Ｃは、説明されるように、住居、オフィスビル、および／または同様なものなどのエリアに存在することができる）。一例においては、モバイルデバイス１３０６Ａ〜１３０６Ｉは、無線上で、および／またはバックホール接続上でアクセスポイント１３０４Ａ〜１３０４Ｇ、および／または１３０８Ａ〜１３０８Ｃとの接続を確立することができる。
【００７２】
さらに、示されるように、モバイルデバイス１３０６Ａ〜１３０６Ｉは、システム１３００全体を通して移動することができ、そしてそれが異なるマクロセル１３０２Ａ〜１３０２Ｇまたはフェムトセルカバレージエリアを通して移動するときに、様々なアクセスポイント１３０４Ａ〜１３０４Ｇおよび／または１３０８Ａ〜１３０８Ｃへと通信をハンドオーバする（またはそれに関連したセルを再選択する）ことができる。一例においては、１つまたは複数のモバイルデバイス１３０６Ａ〜１３０６Ｉは、フェムトセルアクセスポイント１３０８Ａ〜１３０８Ｃのうちの少なくとも１つに関連したホームフェムトセルに関連づけられることができる。例えば、モバイルデバイス１３０６Ｉは、そのホームフェムトセル（例えば、ホームｅＮＢ）としてフェムトセルアクセスポイント１３０８Ｂに関連づけられることができる。したがって、モバイルデバイス１３０６Ｉは、マクロセル１３０２Ｂの中にあり、それ故にアクセスポイント１３０４Ｂのカバレージエリアの中にあるが、それは、アクセスポイント１３０４Ｂの代わりに（またはそれに追加して）フェムトセルアクセスポイント１３０８Ｂと通信することができる。一例においては、フェムトセルアクセスポイント１３０８Ｂは、望ましい課金または料金、分使用(minute usage)、拡張サービス（例えば、より高速なブロードバンドアクセス、メディアサービスなど）など、モバイルデバイス１３０６Ｉに対して追加のサービスを提供することができる。したがって、モバイルデバイス１３０６Ｉが、フェムトセルアクセスポイント１３０８Ｂの範囲内にあるとき、それは、再選択においてフェムトセルアクセスポイント１３０８Ｂに有利に働くことができる。一例においては、いくつかのフェムトセルアクセスポイント１３０８Ａ〜１３０８Ｃは、ここにおいて説明されるように、いくつかのモバイルデバイス１３０６Ａ〜１３０６Ｉに、間違ったフェムトセルアクセスポイントへとハンドオーバするようにさせる競合する識別子を有する可能性がある。上記で説明される選択的解放機能は、そのような間違ったハンドオーバすることにより引き起こされる可能性がある悪影響を緩和する。
【００７３】
ここにおいて説明される態様は、ハードウェア、ソフトウェア、ファームウェア、ミドルウェア、マイクロコード、またはそれらの任意の組合せによってインプリメントされることができることを理解すべきである。システムおよび／または方法が、ソフトウェア、ファームウェア、ミドルウェアまたはマイクロコード、プログラムコードまたはコードセグメントでインプリメントされるときに、それらは、ストレージコンポーネントなどの機械可読媒体に記憶されることができる。コードセグメントは、プロシージャ、ファンクション、サブプログラム、プログラム、ルーチン、サブルーチン、モジュール、ソフトウェアパッケージ、クラス、あるいは命令、データ構造、またはプログラムステートメントの任意の組合せを表すことができる。コードセグメントは、情報、データ、引き数、パラメータ、またはメモリ内容を渡すこと、および／または受け取ることによって別のコードセグメントまたはハードウェア回路に結合されることができる。情報、引き数、パラメータ、データなどは、メモリ共有、メッセージパッシング、トークンパッシング、ネットワーク送信などを含む任意の適切な手段を使用して渡され、転送され、あるいは送信されることができる。
【００７４】
ソフトウェアインプリメンテーションでは、ここにおいて説明される技法は、ここにおいて説明される機能を実行するモジュール（例えば、プロシージャ、ファンクションなど）を用いてインプリメントされることができる。ソフトウェアコードは、メモリユニットに記憶され、そしてプロセッサによって実行されることができる。メモリユニットは、プロセッサの内部に、またはプロセッサの外部にインプリメントされることができ、プロセッサの外部の場合には、メモリユニットは、当技術分野において知られているように様々な手段を経由してプロセッサに通信的に結合されることができる。
【００７５】
上記で説明されているものは、１つまたは複数の態様の例を含んでいる。上述の態様を説明する目的のためにコンポーネントまたは方法のあらゆる考えられる組合せについて説明することは、もちろん可能ではないが、当業者は、様々な態様の多数のさらなる組合せおよび置換が可能であることを認識することができる。したがって、説明された態様は、添付の特許請求の範囲の精神および範囲の内部に含まれるすべてのそのような変更、修正、および変形を包含するように意図される。さらに、用語「含む(includes)」が、詳細な説明または特許請求の範囲のいずれかの中で使用される限りでは、そのような用語は、「備えている(comprising)」が、請求項におけるトランジショナルワード(transitional word)として使用されるときに解釈されるように、用語「備えている(comprising)」と同様にして包含的であるように意図される。さらに、詳細な説明または特許請求の範囲のいずれかの中で使用されるような用語「または(or)」は、「非排他的論理和(non-exclusive or)」であるように意味される。
【図１】
2011523299.tif 000003
【図２】
2011523299.tif 000004
【図３】
2011523299.tif 000005
【図４】
2011523299.tif 000006
【図５】
2011523299.tif 000007
【図６】
2011523299.tif 000008
【図７】
2011523299.tif 000009
【図８】
2011523299.tif 000010
【図９】
2011523299.tif 000011
【図１０】
2011523299.tif 000012
【図１１】
2011523299.tif 000013
【図１２】
2011523299.tif 000014
【図１３】
2011523299.tif 000015
【国際調査報告】
2011523299.tif 000016
2011523299.tif 000017